(57)【要約】【課題】バッテリモジュールにおいて、セル同士の位置ずれを抑制できる技術を提供する。【解決手段】バッテリモジュール１は、前後方向に複数のセル２１を積層して構成されるセル積層体２と、セル積層体２の前面及び後面に配置される一対のエンドプレート３と、一対のエンドプレート３を連結する一対の連結フレーム４と、セル積層体２の下面に配置されるベースプレート５と、セル積層体２とベースプレート５とを互いに近づく方向に付勢する一対の固定部材７と、を備える。ベースプレート５は、セル積層体２の下面に沿って延びるプレート本体５１と一対のプレート壁部５３と、を有する。連結フレーム４は、上下方向においてプレート壁部５３の延長線上に配置される。【選択図】図４
2019096510.tif 000002
【特許請求の範囲】
【請求項１】
バッテリモジュールであって、
第１方向に複数のセルを積層して構成され、前記第１方向において一端側の面である第１面、前記第１方向において他端側の面である第２面、前記第１方向に直交する方向である第２方向において一端側の面である第３面、前記第２方向において他端側の面である第４面、前記第１方向及び前記第２方向に直交する第３方向において一端側の面である第５面、前記第３方向において他端側の面である第６面を有するセル積層体と、
該セル積層体の前記第１面及び前記第２面に配置される一対のエンドプレートと、
前記セル積層体の前記第３面及び前記第４面に配置され、該一対のエンドプレートを連結する一対の連結フレームと、
前記セル積層体の前記第６面に配置されるベースプレートと、
前記セル積層体と前記ベースプレートとを互いに近づく方向に付勢する一対の固定部材と、を備え、
前記ベースプレートは、
前記セル積層体の前記第６面に沿って延びるプレート本体と、
前記第２方向における該プレート本体の両端部に、前記セル積層体を搭載する搭載面から前記セル積層体の前記第３面及び前記第４面に沿って突出し、且つ前記第１方向に沿って延びる一対のプレート壁部と、を有し、
前記連結フレームは、前記第３方向において前記プレート壁部の延長線上に配置される、バッテリモジュール。
【請求項２】
請求項１に記載のバッテリモジュールであって、
前記固定部材は、前記セル積層体の前記第５面を支持する第１支持部と、前記ベースプレートを支持する第２支持部と、前記第１支持部と前記第２支持部を接続する接続部と、を備え、
前記固定部材は、前記第１支持部、前記第２支持部、及び前記接続部が一体に形成された弾性部材である、バッテリモジュール。
【請求項３】
請求項２に記載のバッテリモジュールであって、
前記固定部材は、線材である、バッテリモジュール。
【請求項４】
請求項２又は３に記載のバッテリモジュールであって、
前記固定部材は、複数の前記弾性部材が連続して形成され、
隣り合う前記弾性部材を連結する連結部は、隣り合う前記セルに跨って配置されている、バッテリモジュール。
【請求項５】
請求項４に記載のバッテリモジュールであって、
前記連結フレームは、外側面に凸部又は凹部からなる係止部が設けられ、
前記固定部材が、前記係止部で位置決めされている、バッテリモジュール。
【請求項６】
請求項５に記載のバッテリモジュールであって、
前記連結フレームは、アルミ合金材から構成され、連結フレーム本体が前記係止部と一体に形成されている、バッテリモジュール。
【請求項７】
請求項１〜６のいずれか１項に記載のバッテリモジュールであって、
前記ベースプレートを挟んで前記セル積層体とは反対側には、前記バッテリモジュールを支持する構造体又は温調デバイスが設けられている、バッテリモジュール。
【発明の詳細な説明】
【技術分野】
【０００１】
本発明は、電動車両などに搭載されるバッテリモジュールに関する。
【背景技術】
【０００２】
従来より電動車両などにはバッテリモジュールが搭載されている。例えば、特許文献１には、セル積層体と、該セル積層体の積層方向両端部に配置される一対のエンドプレートと、該一対のエンドプレートを連結する一対のラダーフレームと、を備えるバッテリモジュールが開示されている。
【先行技術文献】
【特許文献】
【０００３】
【特許文献１】特開２０１２−２５６４６６号公報
【発明の概要】
【発明が解決しようとする課題】
【０００４】
この種のバッテリモジュールでは、セル積層体を構成するセル同士の位置ずれが問題となる場合がある。例えば、上下方向の外力が作用した場合、セル同士が位置ずれすると、セルの端子同士を接続しているバスバーに応力が発生し、接続不良が生じる虞がある。
【０００５】
本発明は、バッテリモジュールにおいて、セル同士の位置ずれを抑制できる技術を提供する。
【課題を解決するための手段】
【０００６】
本発明は、バッテリモジュールであって、
第１方向に複数のセルを積層して構成され、前記第１方向において一端側の面である第１面、前記第１方向において他端側の面である第２面、前記第１方向に直交する方向である第２方向において一端側の面である第３面、前記第２方向において他端側の面である第４面、前記第１方向及び前記第２方向に直交する第３方向において一端側の面である第５面、前記第３方向において他端側の面である第６面を有するセル積層体と、
該セル積層体の前記第１面及び前記第２面に配置される一対のエンドプレートと、
前記セル積層体の前記第３面及び前記第４面に配置され、該一対のエンドプレートを連結する一対の連結フレームと、
前記セル積層体の前記第６面に配置されるベースプレートと、
前記セル積層体と前記ベースプレートとを互いに近づく方向に付勢する一対の固定部材と、を備え、
前記ベースプレートは、
前記セル積層体の前記第６面に沿って延びるプレート本体と、
前記第２方向における該プレート本体の両端部に、前記セル積層体を搭載する搭載面から前記セル積層体の前記第３面及び前記第４面に沿って突出し、且つ前記第１方向に沿って延びる一対のプレート壁部と、を有し、
前記連結フレームは、前記第３方向において前記プレート壁部の延長線上に配置される。
【発明の効果】
【０００７】
本発明によれば、ベースプレートがプレート本体の両端部に立設するプレート壁部を有するので、ベースプレートの剛性が向上する。これにより、ベースプレートの撓みが抑制され、セル積層体を構成するセル同士の位置ずれを抑制できる。また、一対のエンドプレートを連結する連結フレームは、第３方向においてプレート壁部の延長線上に配置されるので、バッテリモジュールに第３方向の外力が作用した場合であっても、ベースプレートを撓ませる方向の力は連結フレームによって受けられる。したがって、セル積層体を構成するセル同士の位置ずれをさらに抑制することができる。
【図面の簡単な説明】
【０００８】
【図１】本発明の一実施形態に係るバッテリモジュールの斜視図である。
【図２】図１のバッテリモジュールの分解斜視図である。
【図３】図１のバッテリモジュールの要部平面図である。
【図４】図３のＡ−Ａ断面図である。
【図５】図３のＢ−Ｂ断面図である。
【図６】図１のバッテリモジュールの連結フレーム及び固定部材を示す部分斜視図である。
【発明を実施するための形態】
【０００９】
以下、本発明のバッテリモジュールの一実施形態を、添付図面に基づいて説明する。なお、図面は符号の向きに見るものとする。
【００１０】
［バッテリモジュール］
図１に示すように、本発明の実施形態に係るバッテリモジュール１は、前後方向に複数のセル２１を積層して構成され、前面、後面、左面、右面、上面、及び下面を有するセル積層体２と、セル積層体２の前面及び後面に配置される一対のエンドプレート３と、セル積層体２の左面及び右面に配置され、一対のエンドプレート３を連結する一対の連結フレーム４と、セル積層体２の下面に配置されるベースプレート５と、セル積層体２とベースプレート５とを互いに近づく方向に付勢する一対の固定部材７と、を備える。
【００１１】
なお、本明細書等では説明を簡単且つ明確にするためにセル２１の積層方向を前後方向と定義し、セル２１の積層方向に直交する方向を左右方向及び上下方向と定義したものであり、バッテリモジュール１が搭載される製品の前後方向等とは無関係である。即ち、バッテリモジュール１が車両に搭載される場合、セル２１の積層方向は、車両の前後方向に一致してもよく、車両の上下方向、左右方向であってもよく、これらの方向から傾斜した方向であってもよい。図面には、バッテリモジュール１の前方をＦｒ、後方をＲｒ、左側をＬ、右側をＲ、上方をＵ、下方をＤ、として示す。
【００１２】
（セル積層体）
図１〜図３に示すように、セル積層体２は、複数のセル２１と複数の第１絶縁部材２２を前後方向に交互に積層して構成される。セル積層体２の前面及び後面には、それぞれ第２絶縁部材２３を介した絶縁状態で一対のエンドプレート３が配置され、セル積層体２の下面には、第３絶縁部材２４を介した絶縁状態でベースプレート５が配置され、セル積層体２の左面及び右面には、僅かな隙間を介した絶縁状態で一対の連結フレーム４が配置される。セル積層体２の上面には、左端部及び右端部に一対の第４絶縁部材６が配置される。
【００１３】
セル積層体２の上面には、セル２１の端子２１ａに電気的に接続される複数のバスバー（図示せず）が配置される。バスバーには、セル２１の端子２１ａ同士を接続するためのバスバー（図示せず）や、セル２１の端子２１ａを外部接続用端子台２５に接続するためのバスバーが含まれる。セル積層体２を構成する複数のセル２１が相対的に位置ずれした場合、端子２１ａとバスバーとの間に応力が発生し、接続不良が生じる虞がある。従って、セル２１同士の位置ずれは可及的に抑制することが望ましい。
【００１４】
（エンドプレート）
図１〜図３及び図５に示すように、一対のエンドプレート３は、それぞれ第２絶縁部材２３を介してセル積層体２の前面及び後面に当接し、セル積層体２のセル積層方向の荷重（以下、適宜セル厚拘束反力ともいう。）を受け止める。セル積層体２のセル積層方向の荷重は、主に温度変化や経年劣化によるセル２１の膨張に起因するものであり、セル２１の前面及び後面では、その左右方向中央部及び上下方向中央部が膨張しやすいため、エンドプレート３の左右方向中央部及び上下方向中央部に大きな荷重が入力される。
【００１５】
エンドプレート３は、左右方向において中央領域に形成される中央エンドプレート部３１と、左右方向において中央エンドプレート部３１を挟むように形成される左エンドプレート部３２Ｌ及び右エンドプレート部３２Ｒと、を有する。セル積層体２からセル積層方向の大きな荷重を受ける中央エンドプレート部３１は、その前後方向の幅が左エンドプレート部３２Ｌ及び右エンドプレート部３２Ｒの前後方向の幅よりも大きくなっている。
【００１６】
本実施形態のエンドプレート３は、アルミ押出材（アルミ合金材）を用いて形成され、且つ第２絶縁部材２３を介してセル積層体２の前面及び後面と密着することで、セル積層体２の熱を伝熱して放熱する放熱部材としても機能している。
【００１７】
中央エンドプレート部３１の下面部には、ベースプレート５とリベットＲを介して締結されるベースプレート締結部３１ａが設けられ、左エンドプレート部３２Ｌ及び右エンドプレート部３２Ｒの外面部には、連結フレーム４とボルトＢ１を介して締結される複数の連結フレーム締結部３２ａが設けられる。また、中央エンドプレート部３１及び右エンドプレート部３２Ｒの上面部には、外部接続用端子台２５がボルトＢ２を介して固定される外部接続用端子台固定部３１ｂが設けられる。
【００１８】
（連結フレーム）
図１〜図４及び図６に示すように、一対の連結フレーム４は、セル積層体２の左面又は右面に沿う連結フレーム本体４１と、連結フレーム本体４１の前端から前側のエンドプレート３の前面に沿って互いに近づく方向に延びる前フランジ部４２Ｆと、連結フレーム本体４１の後端から後側のエンドプレート３の後面に沿って互いに近づく方向に延びる後フランジ部４２Ｒと、連結フレーム本体４１の外側面に設けられる複数の係止部４３と、を備える。
【００１９】
本実施形態の連結フレーム４は、アルミ押出材（アルミ合金材）を用いて形成され、且つ僅かな隙間を介してセル積層体２の左面及び右面に配置されることで、セル積層体２の熱を伝熱して放熱する放熱部材としても機能している。
【００２０】
前フランジ部４２Ｆ及び後フランジ部４２Ｒには、前側のエンドプレート３又は後側のエンドプレート３にボルトＢ１を介して締結される複数のエンドプレート締結部４２ａが設けられる。エンドプレート締結部４２ａは、ボルトＢ１が挿通される丸孔を有し、該丸孔に挿通したボルトＢ１を前側のエンドプレート３又は後側のエンドプレート３の連結フレーム締結部３２ａにねじ込むことで、前フランジ部４２Ｆ及び後フランジ部４２Ｒが前側のエンドプレート３又は後側のエンドプレート３に締結される。これにより、一対のエンドプレート３が連結フレーム４を介して連結される。また、逆にいうと連結フレーム４もエンドプレート３によってその位置が固定される。
【００２１】
複数の係止部４３は、連結フレーム本体４１の外側面に上下方向に沿って延び、且つ前後方向に所定の間隔を介して並列する凸部（又は凹部）からなり、固定部材７の位置決め部として機能する。また、複数の係止部４３は、連結フレーム本体４１と一体に形成され、連結フレーム４の表面積を増加させることにより、連結フレーム４によるセル積層体２の放熱効果が高められる。さらに、連結フレーム４は連結フレーム本体４１に複数の係止部４３が設けられることでの剛性が向上する。
【００２２】
（ベースプレート）
図１〜図５に示すように、ベースプレート５は、セル積層体２及びエンドプレート３の下面に沿って延びるプレート本体５１と、バッテリモジュール１を支持するモジュール支持構造体（図示せず）に固定される複数の構造体固定部５２と、プレート本体５１の左右両端部からセル積層体２の左面及び右面に沿って突出し、且つ前後方向に沿って延びる一対のプレート壁部５３と、プレート本体５１の下面左右中央部に凹設される温調デバイス収容部５４と、リベットＲを介してエンドプレート３のベースプレート締結部３１ａと締結されるエンドプレート締結部５５と、固定部材７と係合する固定部材係合部５６と、を備える。
【００２３】
構造体固定部５２は、平面視長方形であるプレート本体５１の四隅に設けられ、ボルト等の固定具を介してモジュール支持構造体に固定される。このようなバッテリモジュール１の固定構造によれば、ベースプレート５がモジュール支持構造体に固定されるので、温度変化や経年劣化によるセル２１の膨張に起因してセル圧拘束反力が増加し、それに伴ってエンドプレート３が前後方向に移動しても、モジュール支持構造体への応力伝達を回避できる。また、ベースプレート５を挟んでセル積層体２とは反対側にモジュール支持構造体が設けられることにより、ベースプレート５の撓みを抑制できる。
【００２４】
一対のプレート壁部５３は、プレート本体５１の左右両端部からセル積層体２の左面及び右面に沿って突出し、且つ前後方向に沿って延びることで、ベースプレート５の剛性を向上させる。これにより、ベースプレート５の撓みに伴うセル２１同士の位置ずれを抑制できる。また、一対のプレート壁部５３は、セル積層体２の左右方向の移動を規制するので、バッテリモジュール１の耐振性を向上させることができる。
【００２５】
連結フレーム４の連結フレーム本体４１は、上下方向においてプレート壁部５３の延長線上に配置される。具体的には、プレート壁部５３の上面と連結フレーム本体４１の下面とが当接又は近接状態で対向し、且つプレート壁部５３と連結フレーム本体４１とが上下方向において重なるように配置される。このようにすると、バッテリモジュール１に上下方向の外力が作用した場合であっても、ベースプレート５を撓ませる方向の力は連結フレーム４の連結フレーム本体４１によって受けられる。したがって、セル積層体２を構成するセル２１同士の位置ずれをさらに抑制することができる。  
【００２６】
本実施形態のベースプレート５は、アルミ押出材（アルミ合金材）を用いて形成され、且つセル積層体２の下面と第３絶縁部材２４を介して密着することで、セル積層体２の熱を伝熱して放熱する放熱部材としても機能している。本実施形態のプレート本体５１は、下面に温調デバイス収容部５４が凹設されているので、バッテリモジュール１の上下寸法を抑制できる。また、プレート本体５１の下面に温調デバイス（図示せず）を配置すれば、セル積層体２の温度を制御しながら、温調デバイスの剛性を利用してベースプレート５の撓みをさらに抑制できる。
【００２７】
エンドプレート締結部５５は、図５に示すように、プレート本体５１を上下方向に貫通するリベット挿通孔５５ａを有し、カラーＣ及びリベット挿通孔５５ａを介してエンドプレート３のベースプレート締結部３１ａにリベットＲを挿入した後、リベットＲの先端部を変形させてベースプレート締結部３１ａ内の段部３１ｃに係止させることで、ベースプレート５とエンドプレート３が締結される。
【００２８】
リベット挿通孔５５ａの内径寸法は、リベットＲの軸部外径寸法よりも大きくなっており、リベット挿通孔５５ａの内周とリベットＲの外周との間に隙間が形成される。これにより、温度変化や経年劣化によってセル２１が膨張してもエンドプレート３の前後方向の移動が許容される。
【００２９】
固定部材係合部５６は、図４に示すように、左右方向においてプレート本体５１の両端部下面側に形成され、固定部材７が係合される。固定部材係合部５６における固定部材７の係合面は、左右方向において外側ほど低くなる傾斜面であり、係合された固定部材７の外側への抜けを抑制している。
【００３０】
（第４絶縁部材６）
第４絶縁部材６は、図４に示すように、セル積層体２の上面に沿って前後方向に延びる上面絶縁部６１と、セル積層体２の左面又は右面に沿って前後方向に延びる側面絶縁部６２と、が交差したＬ字形状を有する絶縁部材であり、例えば、絶縁性の樹脂で形成される。
【００３１】
側面絶縁部６２の下端部は、連結フレーム４（連結フレーム本体４１）の上端部とセル積層体２の左面又は右面との間に挟まれることにより、連結フレーム４の上端側でセル積層体２の左面又は右面との間に絶縁用の隙間を確保している。また、前述した第３絶縁部材２４は、セル積層体２の下面に沿う本体部２４ａと、左右方向において本体部２４ａの両端部からセル積層体２の左面又は右面に沿って上方に延びる一対の立ち上がり部２４ｂと、を有しており、この立ち上がり部２４ｂが連結フレーム４（連結フレーム本体４１）の下端部とセル積層体２の左面又は右面との間に挟まれることにより、連結フレーム４の下端側でセル積層体２の左面又は右面との間に絶縁用の隙間を確保している。
【００３２】
（固定部材）
図１〜図４及び図６に示すように、固定部材７は、第４絶縁部材６の上面絶縁部６１を介してセル積層体２の上面を上方から押圧する第１支持部７１と、ベースプレート５の固定部材係合部５６を下方から押圧する第２支持部７２と、第１支持部７１と第２支持部７２を接続する接続部７３と、を備える弾性部材７４からなる。第１支持部７１は第４絶縁部材６の上面絶縁部６１を介してセル積層体２をベースプレート５のプレート本体５１に向けて押圧する。また、反対に、第２支持部７２は、ベースプレート５をセル積層体２に向けて押圧する。なお、第１支持部７１及び第２支持部７２は、左右方向において略同じ位置で上面絶縁部６１及び固定部材係合部５６を介してセル積層体２を押圧している。これにより、セル積層体２とベースプレート５とが互いに近づく方向に付勢され、固定部材７によって上下方向に拘束される。バッテリモジュール１に上下方向の外力が作用した場合、固定部材７によってセル積層体２とベースプレート５との相対位置は規制されるとともに、上記したようにベースプレート５を撓ませる方向の力は連結フレーム４の連結フレーム本体４１によって受けられる。したがって、セル積層体２を構成するセル２１同士の位置ずれが抑制される。
【００３３】
弾性部材７４は、図６に示すように、弾性変形可能な金属製の線材を用いて形成されている。固定部材７には、線材からなる複数の弾性部材７４（例えば、線ばね）が前後方向に所定の間隔を介して並列状に設けられるとともに、隣り合う弾性部材７４の第１支持部７１同士を連結する第１連結部７１ａと、第２支持部７２同士を連結する第２連結部７２ａと、が前後方向において交互に設けられている。これにより、複数のセル２１を１本の線材からなる固定部材７で拘束することが可能になる。なお、本実施形態では、図２に示すように、セル積層体２の左面及び右面に配置される一対の固定部材７をそれぞれ３つに分割形成しているが、一対の固定部材７をそれぞれ１本の線材で形成したり、分割数を２又は４以上としてもよい。
【００３４】
図３に示すように、本実施形態の弾性部材７４は、１つのセル２１に対して２つずつ配置され、連結部７１ａ、７２ａのいずれか一方は、同じセル２１に配置され、連結部７１ａ、７２ａのいずれか他方は、隣り合うセル２１間に跨って配置されている。このようにすると、１本の線材で複数の弾性部材７４を形成しても、セル２１同士の位置ずれを規制しつつ、複数のセル２１を良好に拘束することができる。
【００３５】
図３に示すように、固定部材７は、弾性部材７４の接続部７３が連結フレーム４の係止部４３に係止されることで、前後方向の位置が位置決めされる。連結フレーム４における係止部４３の数は、固定部材７の分割数などに応じて適宜変更することができ、また、係止部４３は、凸部ではなく、凹部として形成してもよい。
【００３６】
なお、本発明は、前述した実施形態に限定されるものではなく、適宜、変形、改良、等が可能である。例えば、固定部材７としての弾性部材７４は、線材に限らず板材（例えば、板ばね）であってもよい。
【００３７】
［総括］
前述した実施形態からは、少なくとも以下の態様が抽出される。なお、括弧内には、上記した実施形態において対応する構成要素等を示しているが、これに限定されるものではない。
【００３８】
（１）  バッテリモジュール（バッテリモジュール１）であって、
第１方向（前後方向）に複数のセル（セル２１）を積層して構成され、前記第１方向において一端側の面である第１面（前面）、前記第１方向において他端側の面である第２面（後面）、前記第１方向に直交する方向である第２方向（左右方向）において一端側の面である第３面（左面）、前記第２方向において他端側の面である第４面（右面）、前記第１方向及び前記第２方向に直交する第３方向（上下方向）において一端側の面である第５面（上面）、前記第３方向において他端側の面である第６面（下面）を有するセル積層体（セル積層体２）と、
該セル積層体の前記第１面及び前記第２面に配置される一対のエンドプレート（エンドプレート３）と、
前記セル積層体の前記第３面及び前記第４面に配置され、該一対のエンドプレートを連結する一対の連結フレーム（連結フレーム４）と、
前記セル積層体の前記第６面に配置されるベースプレート（ベースプレート５）と、
前記セル積層体と前記ベースプレートとを互いに近づく方向に付勢する一対の固定部材（固定部材７）と、を備え、
前記ベースプレートは、
前記セル積層体の前記第６面に沿って延びるプレート本体（プレート本体５１）と、
前記第２方向における該プレート本体の両端部に、前記セル積層体を搭載する搭載面から前記セル積層体の前記第３面及び前記第４面に沿って突出し、且つ前記第１方向に沿って延びる一対のプレート壁部（プレート壁部５３）と、を有し、
前記連結フレームは、前記第３方向において前記プレート壁部の延長線上に配置される、バッテリモジュール。
【００３９】
（１）のバッテリモジュールによれば、ベースプレートがプレート本体の両端部に立設するプレート壁部を有するので、ベースプレートの剛性が向上する。これにより、ベースプレートの撓みが抑制され、セル積層体を構成するセル同士の位置ずれを抑制できる。また、一対のエンドプレートを連結する連結フレームは、第３方向においてプレート壁部の延長線上に配置されるので、バッテリモジュールに第３方向の外力が作用した場合であっても、ベースプレートを撓ませる方向の力は連結フレームによって受けられる。したがって、セル積層体を構成するセル同士の位置ずれをさらに抑制することができる。
【００４０】
（２）  （１）に記載のバッテリモジュールであって、
前記固定部材は、セル積層体の前記第５面を支持する第１支持部（第１支持部７１）と、前記ベースプレートを支持する第２支持部（第２支持部７２）と、前記第１支持部と前記第２支持部を接続する接続部（接続部７３）と、を備え、
前記固定部材は、前記第１支持部、前記第２支持部、及び前記接続部が一体に形成された弾性部材（弾性部材７４）である。
【００４１】
（２）のバッテリモジュールによれば、固定部材は、弾性部材で構成され、全体的に変形させることが可能となるため、バネ定数を低く設定し、荷重のバラツキを抑制できる。
【００４２】
（３）  （２）に記載のバッテリモジュールであって、
前記固定部材は、線材である。
【００４３】
（３）のバッテリモジュールによれば、固定部材に線材を用いることで、軽量かつ低コストにバネを形成することが可能になる。
【００４４】
（４）  （２）又は（３）に記載のバッテリモジュールであって、
前記固定部材は、複数の前記弾性部材が連続して形成され、
隣り合う前記弾性部材を連結する連結部（第１連結部７１ａ、第２連結部７２ａ）は、隣り合う前記セルに跨って配置されている。
【００４５】
（４）のバッテリモジュールによれば、複数のセルを１本の線材で拘束することができるため、低コスト化が可能になる。また、連結部で連結された弾性部材同士は、ある程度独立して変形することができるので、セルの第３方向の寸法のバラつきを吸収できる。
【００４６】
（５）  （４）に記載のバッテリモジュールであって、
前記連結フレームは、外側面に凸部又は凹部からなる係止部（係止部４３）が設けられ、
前記固定部材が、前記係止部で位置決めされている。
【００４７】
（５）のバッテリモジュールによれば、連結フレームによって固定部材を位置決めすることが可能になる。
【００４８】
（６）  （５）に記載のバッテリモジュールであって、
前記連結フレームは、アルミ合金材から構成され、連結フレーム本体（連結フレーム本体４１）が前記係止部と一体に形成されている。
【００４９】
（６）のバッテリモジュールによれば、連結フレームは、アルミ合金材から構成されるので、セル積層体の冷却効果が得られる。また、連結フレーム本体が固定部材を位置決めする係止部と一体に形成されているので、係止部の凹部又は凸部によって冷却効果が高められる。
【００５０】
（７）  （１）〜（６）のいずれかに記載のバッテリモジュールであって、
前記ベースプレートを挟んで前記セル積層体とは反対側には、前記バッテリモジュールを支持する構造体又は温調デバイスが設けられている。
【００５１】
（７）のバッテリモジュールによれば、ベースプレートを挟んでセル積層体とは反対側には、バッテリモジュールを支持する構造体又は温調デバイスが設けられているので、更なるベースプレートの撓み抑制が可能となる。
【符号の説明】
【００５２】
１  バッテリモジュール
２  セル積層体
２１  セル
３  エンドプレート
４  連結フレーム
４１  連結フレーム本体
４３  係止部
５  ベースプレート
５１  プレート本体
５３  プレート壁部
７  固定部材
７１  第１支持部
７１ａ  第１連結部（連結部）
７２  第２支持部
７２ａ  第２連結部（連結部）
７３  接続部
７４  弾性部材
【図１】
2019096510.tif 000003
【図２】
2019096510.tif 000004
【図３】
2019096510.tif 000005
【図４】
2019096510.tif 000006
【図５】
2019096510.tif 000007
【図６】
2019096510.tif 000008